(57)【要約】【課題】本発明は、遊技者の喫煙により生じる煙が他の遊技者の周辺に到達することをより効果的に防止可能とする遮蔽装置及び遊技機島ユニットを提供する。【解決手段】少なくとも２台の遊技機１００を並設する遊技機島１０１に取り付けられる遮蔽装置２であって、２台の遊技機１００の間に配され、２台の遊技機１００に対向する遊技空間１０８間を仕切るものであり、遮蔽板部５と、気体噴出部６を有し、遮蔽板部５は、遊技機１００を正面視したときに、遊技機島１０１の外壁面から縦姿勢で突出するものであり、気体噴出部６は、遮蔽板部５の縁に沿って設けられ、外部に向かって気体を噴出可能である構成とする。【選択図】図３
2018023468.tif 000002
【特許請求の範囲】
【請求項１】
少なくとも２台の遊技機を並設する遊技機島に取り付けられる遮蔽装置であって、
前記２台の遊技機の間に配され、前記２台の遊技機に対向する空間を仕切る遮蔽装置において、
遮蔽板部と、気体噴出部を有し、
前記遮蔽板部は、前記遊技機を正面視したときに、前記遊技機島の外壁面から縦姿勢で突出するものであり、
前記気体噴出部は、前記遮蔽板部の縁に沿って設けられ、外部に向かって気体を噴出可能であることを特徴とする遮蔽装置。
【請求項２】
前記気体噴出部は、複数の噴出口と、前記気体が流れる気体流路を有し、
前記気体は、前記気体流路を通過して各噴出口から噴出することを特徴とする請求項１に記載の遮蔽装置。
【請求項３】
前記遊技機島に請求項１又は２に記載の遮蔽装置を取り付けた遊技機島ユニットであって、
気体送出手段を有し、
前記気体送出手段は、各遮蔽装置の気体噴出部の内部に気体を送り出すことを特徴とする遊技機島ユニット。
【発明の詳細な説明】
【技術分野】
【０００１】
本発明は、遮蔽装置及び遊技機島ユニットに関するものである。本発明は、特に分煙ボードに関するものである。
【背景技術】
【０００２】
ぱちんこ機やスロット機等の遊技機が設置されている遊技場では、一般的に、複数の遊技機を列状に並設させる遊技機島が設けられている。
このような遊技機島では、遊技機をできるだけ多く設置するために並設方向に隣接する遊技機間の間隔が極めて狭くなっている。このことから、隣り合う遊技機をそれぞれ使用する遊技者は、必然的に互いに近い位置に着座することとなる。
【０００３】
ここで、隣り合う遊技機をそれぞれ使用する遊技者のうち、一方の遊技者が喫煙を始めた場合、喫煙によって生じる煙が他方の遊技者の所まで流れてしまうという問題が生じる。すなわち、遊技者が他人の喫煙により生じる煙によって気分を害してしまうという問題である。
【０００４】
そこで、近年の遊技場では、遊技機に対向する空間を板状の分煙ボードで物理的に仕切り、喫煙による煙を遮蔽している。すなわち、分煙ボードで隣り合う遊技者の間を仕切ることによって、喫煙する遊技者の周辺から他の遊技者の周辺へと向かう煙の流れを遮蔽し、喫煙によって生じる煙が他の遊技者の周辺まで流れないようにしている（例えば、特許文献１）。
【先行技術文献】
【特許文献】
【０００５】
【特許文献１】特開２０１６−４７２８２号公報
【発明の概要】
【発明が解決しようとする課題】
【０００６】
従来の分煙ボードは、喫煙により生じる煙の他方の遊技者側への移動を一定程度以上遮蔽できる。しかしながら、喫煙による煙は、気体であり、空気よりも軽いため、煙の一部が分煙ボードの端部を回り込み、遊技者の周辺まで流れてしまう場合があった。
【０００７】
そこで、本発明では、遊技者の喫煙により生じる煙が他の遊技者の周辺に到達することをより効果的に防止可能とする遮蔽装置及び当該遮蔽装置を備えた遊技機島ユニットを提供することを課題とする。
【課題を解決するための手段】
【０００８】
上記した課題を解決するための請求項１に記載の発明は、少なくとも２台の遊技機を並設する遊技機島に取り付けられる遮蔽装置であって、前記２台の遊技機の間に配され、前記２台の遊技機に対向する空間を仕切る遮蔽装置において、遮蔽板部と、気体噴出部を有し、前記遮蔽板部は、前記遊技機を正面視したときに、前記遊技機島の外壁面から縦姿勢で突出するものであり、前記気体噴出部は、前記遮蔽板部の縁に沿って設けられ、外部に向かって気体を噴出可能であることを特徴とする遮蔽装置である。
【０００９】
ここでいう「気体」とは、空気、酸素、窒素や、これらにたばこ煙等の不純物が添加されたものなどをいう。
【００１０】
本発明の構成によれば、例えば、２台の遊技機に対向する空間（以下、遊技空間ともいう）のそれぞれに遊技者が位置し、一方の遊技者が喫煙した場合であっても、喫煙による煙が各遊技機に対向する遊技空間を物理的に区切る遮蔽板部の存在によって遮蔽され、さらに、遮蔽板部の端部を回り込もうとする煙さえも遮蔽板部の縁に沿って設けられた気体噴出部から噴出される気体によって遮られる。そのため、従来に比べて、より効果的に他方の遊技者側への喫煙による煙の移動を遮蔽できる。
【００１１】
請求項２に記載の発明は、前記気体噴出部は、複数の噴出口と、前記気体が流れる気体流路を有し、前記気体は、前記気体流路を通過して各噴出口から噴出することを特徴とする請求項１に記載の遮蔽装置である。
【００１２】
本発明の構成によれば、一つの気体流路によって複数の噴出口に気体を供給し、各噴出口から噴出できるため、各噴出口への気体の供給が容易である。
【００１３】
上記した発明は、前記気体噴出部は、前記遮蔽板部の縁に沿って延びており、２以上の噴出口は、前記遮蔽板部の縁に沿って並設されていてもよい。
【００１４】
この発明の構成によれば、遮蔽板部の縁に沿って噴出口が並んでいるため、より喫煙による煙を遮蔽できる。
【００１５】
請求項３に記載の発明は、前記遊技機島に請求項１又は２に記載の遮蔽装置を取り付けた遊技機島ユニットであって、気体送出手段を有し、前記気体送出手段は、各遮蔽装置の気体噴出部の内部に気体を送り出すことを特徴とする遊技機島ユニットである。
【００１６】
本発明の構成によれば、気体送出手段によって複数の遮蔽装置の気体噴出部の内部に気体を送り出すことができるので、気体送出手段の数を少なくすることができ、各遮蔽装置に気体送出手段を設ける場合に比べて、コストを低減できる。
【発明の効果】
【００１７】
本発明の構成によれば、遊技者の喫煙により生じる煙が他の遊技者の周辺に到達することをより効果的に防止可能である。
【図面の簡単な説明】
【００１８】
【図１】本発明の第１実施形態の遊技機島ユニットを模式的に示した斜視図である。
【図２】図１の遊技機島ユニットの断面図である。
【図３】図１の遊技機島ユニットの分解斜視図である。
【図４】図１の遊技機島ユニットの平面図である。
【図５】図３の遮蔽装置の分解斜視図である。
【図６】図３の遮蔽装置の一部破断斜視図である。
【図７】図３の遮蔽装置の断面図である。
【図８】図３の気体送出装置を表した斜視図である。
【図９】遮蔽装置の遮蔽板部を取り出す際の説明図であり、（ａ）は退避姿勢を表し、（ｂ）は第１遮蔽姿勢を表し、（ｃ）は第２遮蔽姿勢を表す。
【図１０】図１の遊技機島ユニットにおける気体送出装置から各遊技空間までの気体の流れを表す説明図であって、気体送出装置から各気体噴出部までの気体の流れを表す図である。
【図１１】図１の遊技機島ユニットにおける気体送出装置から遊技空間までの気体の流れを表す説明図であり、各気体噴出部での気体の流れを表す図である。
【図１２】遮蔽装置の遮蔽板部を収納する際の説明図であり、（ａ）は第２遮蔽姿勢を表し、（ｂ）は第３遮蔽姿勢を表し、（ｃ）は退避姿勢を表す。
【図１３】本発明の他の実施形態の遮蔽装置の要部を表す斜視図であり、（ａ）は遮蔽板部と気体噴出部が一体となった場合の図であり、（ｂ）は（ａ）に流路を設けた場合の図である。
【図１４】本発明の他の実施形態の遮蔽装置の気体噴出口を表す斜視図である。
【発明を実施するための形態】
【００１９】
以下に本発明の実施形態について詳細に説明する。
なお、以下の説明において、特に断りがない限り、図１の位置関係を基準とする。
【００２０】
本発明の第１実施形態の遊技機島ユニット１は、図１に示されるように、隣の席の遊技者の喫煙による煙（以下、たばこ煙ともいう）を遮蔽して受動喫煙を防止する遮蔽装置２を備えるものである。そして、遊技機島ユニット１は、図３に示されるように、この遮蔽装置２が、物理的にたばこ煙を遮蔽する遮蔽板部５と、気体を噴出する気体噴出部６を備えており、遮蔽板部５だけではなく、気体噴出部６から気体を噴出することによっても、たばこ煙を遮蔽することが可能であることを特徴の一つとしている。
【００２１】
以下、このことを踏まえながら、遊技機島ユニット１について説明する。
【００２２】
遊技機島ユニット１は、主要構成部材として、図１，図３から読み取れるように、遊技機１００と、遊技機島１０１と、遮蔽装置２と、気体送出装置３（気体送出手段）を備えている。
【００２３】
遊技機１００は、遊技者が主な遊技対象とする遊技装置であり、具体的にはぱちんこ機やスロットマシンである。
【００２４】
遊技機島１０１は、少なくとも２台の遊技機１００を取り付けて並設させ、各遊技機１００に対してぱちんこ球やメダル等の遊技媒体を供給及び回収するものである。
【００２５】
遊技機島１０１は、図１のように、所定の方向（以下、長さ方向Ｘという）に延びており、複数台の遊技機１００を長手方向に並べて取り付け可能となっている。また、遊技機島１０１は、幅方向Ｙ（長さ方向Ｘに直交する方向であって、高さ方向に直交する方向）の両側面にもそれぞれ遊技機１００が設置可能となっている。本実施形態の遊技機島１０１には、図２に示されるように、対をなす遊技機１００，１００が遊技機島１０１を挟んで幅方向Ｙに対向して設けられ、対向した２列の遊技機１００，１００が長さ方向Ｘに並設されている。
【００２６】
遊技機島１０１は、図３，図４から読み取れるように、遊技機１００と遊技媒体貸出機１０３と遮蔽装置２を一組とする機器群１０６を取り付ける遊技機取付部１０２を複数備えている。
遊技機取付部１０２は、遊技機島１０１の高さ方向の略中央となる位置に形成され、遊技機島１０１の内外を連通した連通空間である。各遊技機取付部１０２には、機器群１０６が遊技機島１０１の長手方向に沿うように並列配置されている。
また、遊技機島１０１は、図２，図４から読み取れるように、各遊技機取付部１０２に対向するように、遊技機用椅子１０５が設けられている。すなわち、遊技機島ユニット１は、各遊技機１００の正面に対応するように遊技機用椅子１０５が設けられており、遊技者は、遊技機用椅子１０５に着座することによって遊技機１００に対向する空間（以下、遊技空間１０８ともいう）に位置することとなる。
【００２７】
遊技機島１０１の外観は、図１のように、略直方体形状をしており、支柱や梁となる骨格部材に対して、主に天板１１０、妻板１１１、幕板１１２、膳板１１３、及び腰板１１５等の遊技機島１０１の外壁面を形成する各板部材を取り付けて形成されている。
【００２８】
天板１１０は、遊技機島１０１の天井壁を形成する部材である。天板１１０は、遊技機取付部１０２の並設方向Ｘに延びた長板である。
【００２９】
妻板１１１は、遊技機取付部１０２の並設方向Ｘの両端面を形成する側壁である。すなわち、妻板１１１は、その厚さ方向が遊技機島１０１の長手方向と同一となっており、床面に対して直交する方向に延びている。
【００３０】
幕板１１２は、遊技機取付部１０２の上部又は上方に位置する側壁であって、遊技機島１０１の幅方向Ｙの両端面を形成する側壁である。幕板１１２は、遊技機取付部１０２の上側に位置した長板であり、遊技機取付部１０２の並設方向Ｘに延びている。
【００３１】
膳板１１３は、図２に示されるように、遊技機取付部１０２の下面を構成し、幅方向Ｙの外側へ張り出した平板状の部材である。膳板１１３は、遊技機島１０１の幅方向Ｙの側面から離反する方向（遊技機用椅子１０５側）に突出しつつ、遊技機島１０１の長手方向に沿って延設されている。すなわち、膳板１１３は、遊技機１００を正面視したときに、横姿勢に延びており、各遊技機１００を載置可能となっている。
【００３２】
腰板１１５は、遊技機取付部１０２の下部又は下方に位置する側壁であって、遊技機島１０１の幅方向Ｙの両端面を形成する側壁である。すなわち、腰板１１５は、膳板１１３の下側に位置し、遊技機取付部１０２の並設方向Ｘに延びた側壁である。
【００３３】
続いて、本実施形態の遊技機島ユニット１の主な特徴の一つである遮蔽装置２について説明する。
【００３４】
遮蔽装置２は、図３のように、遊技機１００や遊技媒体貸出機１０３とともに機器群１０６として遊技機島１０１の遊技機取付部１０２に取り付けられるものである。
遮蔽装置２ａは、いわゆる分煙ボードであり、他の機器群１０６ｂに属する遊技機１００ｂで遊技する遊技者の喫煙による煙を遮蔽する遮蔽装置である。また、遮蔽装置２は、自己の機器群１０６ａに属する遊技機１００ｂで遊技する遊技者の喫煙による煙を隣接する他の遊技者側に流れることを防止する遮蔽装置でもある。
遮蔽装置２は、自己の機器群１０６ａに属する遊技機１００ａと他の機器群１０６ｂに属する遊技機１００ｂとの間に配されている。
【００３５】
遮蔽装置２は、図５に示されるように、取付部２０と、遮蔽部材２１を備えており、取付部２０に対して遮蔽部材２１が出没可能となっている。
【００３６】
本実施形態の遮蔽装置２は、遮蔽部材２１が複数の遮蔽部２２，２３から構成されており、複数段階に姿勢変更が可能となっている。
具体的には、遮蔽装置２は、遊技者が手動操作することによって、引き出して使用する際と、収納して使用を終了する際のそれぞれにおいて、２段階に姿勢変更が可能となっている。すなわち、遮蔽装置２は、図９に示されるように、引き出して使用する際において、取付部２０の内部に遮蔽部材２１の大部分が収納された退避姿勢と、遮蔽部材２１の遮蔽部２２，２３が取付部２０から張り出した第１遮蔽姿勢と、遮蔽部材２１の第２遮蔽部２３が第１遮蔽部２２に対してさらに張り出た第２遮蔽姿勢に姿勢変更が可能となっている。
また、遮蔽装置２は、図１２に示されるように、押し込んで使用を終了する際において、第２遮蔽姿勢と、遮蔽部材２１の第２遮蔽部２３のみが取付部２０から張り出した第３遮蔽姿勢と、退避姿勢に姿勢変更が可能となっている。
【００３７】
取付部２０は、遊技機島１０１の遊技機取付部１０２に取り付けられ、遊技機取付部１０２内に収納される部位である。
取付部２０は、図５に示されるように、取付本体３０と、第１支持レール３１ａ，３１ｂと、第２支持レール３２ａ，３２ｂを備えている。
【００３８】
取付本体３０は、遮蔽部材２１の大部分を収納可能な収納部３３を備えた筐体であり、自己の機器群１０６ａに属する遊技機１００ａを正面視したときに縦長長方形状をした部位である。また、取付本体３０は、収納部３３の内部と外部を連通させる連通開口３５を備えている。
連通開口３５は、遮蔽部材２１を収納部３３から外部に出没させる開口であり、縦方向（高さ方向）に延びた溝状の開口である。
【００３９】
第１支持レール３１ａ，３１ｂは、取付本体３０に一体的に固定され、収納部３３の内部で前後方向（幅方向Ｙ）に延びたレールである。
第１支持レール３１ａ，３１ｂは、連通開口３５に対して直交する方向に延び、取付本体３０の収納部３３内から第２支持レール３２ａ，３２ｂを出没可能に支持する支持レールである。また第１支持レール３１ａ，３１ｂは、第１レール部５１ａ，５１ｂの移動方向を前後方向（幅方向Ｙ）に規制するガイドレールでもある。
【００４０】
第２支持レール３２ａ，３２ｂは、第１支持レール３１ａ，３１ｂと同一方向に延び、第１レール部５１ａ，５１ｂを取付本体３０の収納部３３から出没可能に支持する支持レールである。第２支持レール３２ａ，３２ｂは、第１レール部５１ａ，５１ｂの移動方向を前後方向（幅方向Ｙ）に規制するガイドレールでもある。
【００４１】
遮蔽部材２１は、図５のように、第１遮蔽部２２と、第２遮蔽部２３を備えている。
第１遮蔽部２２は、第１遮蔽板部５０と、第１レール部５１ａ，５１ｂを備えている。
第１遮蔽板部５０は、遮蔽板部５の一部を構成する部位であり、各遊技機１００に対向する遊技空間１０８，１０８を物理的に区切る部材である。
第１遮蔽板部５０は、透明であって、縦長長方形状の板状体であり、自己の機器群１０６ａに属する遊技機１００ａを正面視したときに縦長形状をしている。
【００４２】
第１レール部５１ａ，５１ｂは、第１遮蔽板部５０の上端部及び下端部を固定するとともに、第２レール部５６ａ，５６ｂを前後方向Ｙにのみ移動可能に支持する支持レールである。第１レール部５１ａ，５１ｂは、第２支持レール３２ａ，３２ｂと係合することで、第２支持レール３２ａ，３２ｂの延び方向にスライド移動可能となっている。
【００４３】
第２遮蔽部２３は、図５のように、第２遮蔽板部５５と、第２レール部５６ａ，５６ｂと、気体噴出部６を備えている。
第２遮蔽板部５５は、第１遮蔽板部５０とともに、遮蔽板部５を構成する部位であり、各遊技機１００に対向する遊技空間１０８，１０８の一部を物理的に区切る部材である。
第２遮蔽板部５５は、第１遮蔽板部５０と同様、透明であって、自己の機器群１０６ａに属する遊技機１００ａを正面視したときに縦長形状をした板状体である。
第２遮蔽板部５５は、図９（ａ）に示されるように、退避姿勢において、取付部２０から遊技機用椅子１０５側に張り出した張出部５７を備えており、この張出部５７の縁端部に把持部５８が設けられている。
把持部５８は、遮蔽板部５０，５５を取付本体３０の収納部３３から引き出す際に遊技者が把持可能な部位である。
【００４４】
第２レール部５６ａ，５６ｂは、第２遮蔽板部５５の上端部及び下端部を固定する固定レールであり、第１レール部５１ａ，５１ｂに対して相対的にスライド移動可能となっている。
【００４５】
気体噴出部６は、図３から読み取れるように、遊技空間１０８ａ，１０８ｂを区切るように、気体を噴出する部位である。
気体噴出部６は、透明の長尺体であって、第２遮蔽板部５５の縁端部に設けられ、第２遮蔽板部５５の縁に沿って延びている。
気体噴出部６は、図６，図７から読み取れるように、複数の気体噴出口６０と、気体供給口６１と、気体流路６２を備えており、気体供給口６１から供給された気体を、気体流路６２を通過させて各気体噴出口６０から噴出可能となっている。すなわち、気体噴出部６は、内部に気体流路６２が設けられた中空体であり、気体流路６２は第２遮蔽板部５５の縁に沿って延びつつ、各気体噴出口６０に向かって分岐している。
【００４６】
気体噴出口６０は、内部の気体流路６２と外部を連通させる連通開口であり、気体流路６２から気体を放出可能な放出開口である。
気体噴出口６０は、開口形状が円形状、楕円状、又は多角形状をしており、本実施形態では、四角形状をしている。
【００４７】
気体供給口６１は、気体送出装置３の接続部材８１に接続され、気体噴出部６の気体流路６２に気体を供給するための供給口である。
【００４８】
気体流路６２は、気体が通過する流路であり、気体供給口６１を各気体噴出口６０と接続させる流路である。気体流路６２の内部には、図６，図７から読み取れるように、通過する気体の流れを規制する規制手段６５が設けられている。
規制手段６５は、気体流路６２を流れる気体の流れの一部を変更し、気体噴出口６０に導く部材であり、複数のガイド片６６によって構成されている。
ガイド片６６は、気体噴出口６０の開口に沿って設けられ、気体流路６２内の気体の流れ方向に対して交差する方向に立設された板状片である。すなわち、ガイド片６６は、気体噴出口６０の開口に対して所定の角度で傾斜している。
【００４９】
気体送出装置３は、図８のように、圧縮機８０と、接続部材８１と、制御装置８４を備えている。
圧縮機８０は、吸引口８２と送出口（図示しない）を備えており、吸引口８２から吸引した気体を圧縮し、送出口から送り出すものである。
接続部材８１は、圧縮機８０の送出口と、各遮蔽装置２の気体供給口６１を繋ぐ部材である。
接続部材８１は、制御装置８４を境に複数に分岐されるものであり、圧縮機８０と制御装置８４を接続する圧縮側接続部８５と、制御装置８４から各遮蔽装置２を接続する設備側接続部８６を備えている。
圧縮側接続部８５は、圧縮機８０から送り出された気体を制御装置８４に導く部位である。
圧縮側接続部８５は、可撓性をもつ管状部材であって中空となっており、その内部に気体を通過可能となっている。
設備側接続部８６は、制御装置８４で分岐された気体を各遮蔽装置２の気体供給口６１に供給する部位である。
設備側接続部８６は、可撓性をもつ管状部材であって、中空となっており、その内部に気体を通過可能となっている。設備側接続部８６の内径は、圧縮側接続部８５の内径よりも小さい。
【００５０】
制御装置８４は、図８に示されるように、接続部材８１の中途に設けられ、接続部材８１を通過する気体の流通を規制する装置である。
制御装置８４は、各遮蔽装置２の状況や要求に応じて、複数の遮蔽装置２の中から気体を供給する遮蔽装置２を選択する装置である。
具体的には、制御装置８４は、第２遮蔽姿勢又は第３遮蔽姿勢の遮蔽装置２に対して、設備側接続部８６への気体の供給を可能にし、退避姿勢又は第１遮蔽姿勢の遮蔽装置２に対して、設備側接続部８６への気体の供給を遮断する装置である。
【００５１】
続いて、図９（ａ）に示される退避姿勢における遊技機島ユニット１の各部位の位置関係について説明する。
【００５２】
遊技機島ユニット１は、図１のように、圧縮機８０が遊技機島１０１の天板１１０上に載置されて取り付けられており、吸引口８２が遊技機島１０１の外部に露出している。圧縮機８０の送出口は、図２に示されるように、遊技機島１０１の内部に配されている。
遊技機島ユニット１は、遊技機１００、遊技媒体貸出機１０３、及び遮蔽装置２を備えた各機器群１０６が、遊技機取付部１０２に取り付けられている。
遮蔽装置２は、図３に示されるように、遊技機取付部１０２に縦姿勢で取り付けられている。すなわち、取付本体３０は、遊技機取付部１０２内に収納されており、遮蔽装置２は、自己の機器群１０６ａに属する遊技機１００ａを正面視したときに、膳板１１３から縦方向（高さ方向Ｚ）に延びている。
各遊技機１００は、図４から読み取れるように、並設方向Ｘにおいて遮蔽装置２と遊技媒体貸出機１０３によって挟まれている。すなわち、遊技機１００は、同じ遊技機取付部１０２に取り付けられた遮蔽装置２と、他の遊技機取付部１０２に取り付けられた遮蔽装置２によって挟まれている。言い換えると、遊技機１００ｂは、図３のように、自己の機器群１０６ｂに属する遮蔽装置２ｂと他の機器群１０６ａに属する遮蔽装置２ａによって挟まれている。
【００５３】
第１遮蔽板部５０は、図５から読み取れるように、その上端部及び下端部が第１レール部５１ａ，５１ｂに固定されて第１レール部５１ａ，５１ｂと一体となっており、第２遮蔽板部５５は、その上端部及び下端部が第２レール部５６ａ，５６ｂに固定されて第２レール部５６ａ，５６ｂと一体となっている。
第２支持レール３２ａ，３２ｂは、第１支持レール３１ａ，３１ｂによって、第１支持レール３１ａ，３１ｂの延び方向に相対的にスライド移動可能に支持されている。すなわち、第２支持レール３２ａ，３２ｂは、第１支持レール３１ａ，３１ｂが固定されている取付本体３０に対して相対的にスライド移動可能となっている。
【００５４】
第１レール部５１ａ，５１ｂは、第１支持レール３１ａ，３１ｂによって、第１支持レール３１ａ，３１ｂに対して相対的に移動可能に支持されている。すなわち、第１レール部５１ａ，５１ｂに取り付けられた第１遮蔽板部５０は、取付本体３０に対して相対的に移動可能となっている。
第２レール部５６ａ，５６ｂは、第１レール部５１ａ，５１ｂによって、第１レール部５１ａ，５１ｂに対して相対的に移動可能に支持されている。すなわち、第２レール部５６ａ，５６ｂに取り付けられた第２遮蔽板部５５は、取付本体３０に対して相対的に移動可能となっており、第１レール部５１ａ，５１ｂに取り付けられた第１遮蔽板部５０に対しても相対的に移動可能となっている。
【００５５】
第１支持レール３１ａ，３１ｂ、第２支持レール３２ａ，３２ｂ、第１レール部５１ａ，５１ｂ、第２レール部５６ａ，５６ｂのそれぞれは、取付本体３０の収納部３３の内部で重なって互いに係合している。
第１遮蔽板部５０と第２遮蔽板部５５の大部分は、取付本体３０の収納部３３の内部に収納されており、第１遮蔽板部５０は、取付本体３０の収納部３３の内部で第２遮蔽板部５５と遊技機１００の並設方向に重なっている。
本実施形態では、第１遮蔽板部５０はその全てが取付本体３０の収納部３３内に収納されており、端面のみが連通開口３５から露出している。第２遮蔽板部５５はその大部分が取付本体３０の収納部３３内に収納されており、その残部が連通開口３５から露出している。そして、当該露出部分に把持部５８が位置している。
【００５６】
気体噴出部６の内部に注目すると、気体供給口６１は、図１０から読み取れるように、気体噴出部６の上方側端部であって、気体噴出部６の延び方向の端部に位置しており、接続部材８１が接続されている。
各気体噴出口６０は、図６に示されるように、所定の間隔を空けて配されている。本実施形態の気体噴出口６０は、気体噴出部６の縁に沿って等間隔に配されている。
各ガイド片６６は、図７に示されるように、気体流路６２内での気体の流れ方向に対して交差する方向に延び、気体噴出口６０に向かって延びている。すなわち、各ガイド片６６は、気体噴出口６０の近傍に設けられており、気体流路６２内での気体の流れを規制可能となっている。
【００５７】
続いて、退避姿勢の遮蔽装置２から遮蔽板部５を引き出し、第２遮蔽姿勢に変更する際の遮蔽装置２の各部材の位置関係について説明する。
【００５８】
遊技者が図９（ａ）に示される退避姿勢の遮蔽装置２の把持部５８を把持し遮蔽板部５を引き出すと、第２支持レール３２ａ，３２ｂが第１支持レール３１ａ，３１ｂに対して引き出され、それに伴って第１レール部５１ａ，５１ｂが第２支持レール３２ａ，３２ｂに対して引き出されて、図９（ｂ）に示される第１遮蔽姿勢となる。
【００５９】
このとき、第１レール部５１ａ，５１ｂに固定された第１遮蔽板部５０と第２レール部５６ａ，５６ｂに固定された第２遮蔽板部５５が重なった状態で外部に露出している。遊技者が遊技する遊技機１００ａに対向する遊技空間１０８ａと、隣接する遊技者が遊技する遊技機１００ｂに対向する遊技空間１０８ｂが第１遮蔽板部５０及び第２遮蔽板部５５によって仕切られている。
またこのとき、第１遮蔽板部５０及び第２遮蔽板部５５は、遊技機１００の並設方向に重なっている。
【００６０】
さらに遊技者が把持部５８を把持し遮蔽板部５を引き出すと、第２レール部５６ａ，５６ｂが第１レール部５１ａ，５１ｂに対して引き出され、図９（ｃ）に示される第２遮蔽姿勢となり、気体噴出部６の各気体噴出口６０から気体が噴出される。
【００６１】
このとき、第１レール部５１ａ，５１ｂに固定された第１遮蔽板部５０と第２レール部５６ａ，５６ｂに固定された第２遮蔽板部５５が前後方向にずれた位置となっており、自己の属する遊技機１００ａに対向する遊技空間１０８ａと、隣接する遊技機１００ｂに対向する遊技空間１０８ｂが第１遮蔽板部５０及び第２遮蔽板部５５によって大きく仕切られている。
【００６２】
ここで、遮蔽装置２が第２遮蔽姿勢に変更されたときの気体送出装置３からの気体の流れについて詳説する。
【００６３】
あらかじめ、開店時等において気体送出装置３を駆動し、空気等の気体が吸引口８２から吸引され圧縮機８０によって圧縮されて送出口から接続部材８１の圧縮側接続部８５を通過して制御装置８４に送り出されている。
【００６４】
そして、一の遮蔽装置２が第２遮蔽姿勢になると、図１０に示されるように、制御装置８４から対応する設備側接続部８６に気体が送り出され、気体噴出部６の気体供給口６１に至り、気体噴出部６内の気体流路６２に送り出される。
気体流路６２に送り出された気体は、図１１に示されるように、各規制手段６５のガイド片６６によって各気体噴出口６０に導かれ、気体流路６２から外部に噴出される。このとき、各気体噴出口６０から噴出された気体によって気体状のカーテンが形成され、第２遮蔽板部５５の端部近傍の気体が第２遮蔽板部５５から離反する方向に追い出される。そのため、第２遮蔽板部５５の端部近傍の煙や空気は、遊技機島１０１から離れる方向に追い出され、隣の遊技空間１０８に流れない。
【００６５】
続いて、第２遮蔽姿勢の遮蔽装置２から遮蔽板部５を収納部３３内に収納し、退避姿勢に変更する際の遮蔽装置２の各部材の位置関係について説明する。
【００６６】
遊技者が、図１２（ａ）に示される第２遮蔽姿勢の遮蔽装置２の把持部５８を把持し遮蔽板部５を収納部３３側に押し込むと、第２支持レール３２ａ，３２ｂが第１支持レール３１ａ，３１ｂに対して収納部３３側にスライド移動し、それに伴って第１レール部５１ａ，５１ｂが第２支持レール３２ａ，３２ｂに対して収納部３３側にスライド移動して図１２（ｂ）に示される第３遮蔽姿勢となる。
【００６７】
このとき、第１レール部５１ａ，５１ｂに固定された第１遮蔽板部５０と第２レール部５６ａ，５６ｂに固定された第２遮蔽板部５５が前後方向にずれており、第１遮蔽板部５０はその大部分が収納部３３に収納され、第２遮蔽板部５５の大部分は収納部３３から外部に露出している。すなわち、遊技者が遊技する遊技機１００に対向する遊技空間１０８と、隣接する遊技者が遊技する遊技機１００に対向する遊技空間１０８が第２遮蔽板部５５によって仕切られている。
【００６８】
さらに遊技者が把持部５８を把持し遮蔽板部５を収納部３３側に押し出すと、第２レール部５６ａ，５６ｂが第１レール部５１ａ，５１ｂに対して収納部３３側にスライド移動し、図１２（ｃ）に示される退避姿勢となる。
【００６９】
このとき、退避姿勢への姿勢変更に伴って、制御装置８４によって圧縮機８０側からの設備側接続部８６側への気体の流通が遮断され、気体供給口６１への気体の供給が停止される。そのため、気体噴出部６の気体噴出口６０からの気体の噴出が止まる。
【００７０】
本実施形態の遮蔽装置２によれば、遊技者が喫煙した場合であっても遮蔽板部５によって遮蔽され、さらに遮蔽板部５の端部を回り込もうとする煙さえも、気体噴出口６０から放出される気体によって遮蔽板部５の端部から離反する方向に押し出されるため、隣の遊技者側に煙が流れることを防止できる。
【００７１】
本実施形態の遮蔽装置２によれば、二段階に遮蔽部材２１が出没するため、遊技機１００に対向する遊技空間１０８，１０８間を大きく仕切ることができる。
【００７２】
本実施形態の遊技機島ユニット１によれば、１台の気体送出装置３によって複数の遮蔽装置２に気体が供給されるため、動力源が少なくて済み、コストを低減できる。
【００７３】
本実施形態の遮蔽装置２によれば、遮蔽板部５を備えているため、通常の分煙ボードと同様、飛沫防止効果及び静音効果を奏することができる。
【００７４】
上記した実施形態では、気体噴出口６０に気体を導く気体流路６２が気体噴出部６のみに設けられていたが、本発明はこれに限定されるものではない。気体流路６２の一部が遮蔽板部５に設けられていてもよい。
例えば、図１３（ａ）のように中空の遮蔽板部５に気体供給口６１を設け、供給された気体が気体供給口６１から遮蔽板部５の内部を通過して気体噴出部６に至る構造であってもよい。
また、図１３（ｂ）のように気体供給口６１を備えた遮蔽板部５に、気体供給口６１と各気体噴出口６０に繋がる流路をそれぞれ設け、供給された気体が気体供給口６１から当該流路を通過させて各気体噴出口６０に至る構造であってもよい。
【００７５】
上記した実施形態では、気体噴出口６０は、同一の開口面積であったが、本発明はこれに限定されるものではない。気体噴出口６０の開口面積は、異なっていてもよい。
【００７６】
上記した実施形態では、気体噴出口６０は開口形状が四角形状であったが、本発明はこれに限定されるものではなく、気体噴出口６０の開口形状は必ずしも四角形状である必要はない。気体噴出口６０の開口形状は、円形状であってもよいし、オーバル状であってもよいし、楕円状であってもよい。気体噴出口６０の開口形状は、多角形状であってもよいし、半楕円状であってもよい。
また気体噴出口６０は、スリット状であってもよい。
気体噴出口６０がスリット状である場合には、遮蔽板部５の縁に沿って延びていることが好ましい。
【００７７】
上記した実施形態では、複数の気体噴出口６０が縦方向に直線状に並んでいたが、本発明はこれに限定されるものではない。
各気体噴出口６０は、遊技機取付部１０２の並設方向Ｘにずれていてもよい。例えば、各気体噴出口６０は、図１４のようにジグザグになるように並んでいてもよい。
【００７８】
上記した実施形態では、遮蔽板部５が取付本体３０に対して相対的に移動し、取付本体３０から出没するものであったが、本発明はこれに限定されるものではない。遮蔽板部５が取付本体３０に対して移動しないものであってもよい。すなわち、遮蔽板部５は、常に遊技機島１０１の壁面から張り出した状態であってもよい。
【００７９】
上記した実施形態では、二段階に遮蔽板部５が取付本体３０から出没するものであったが、本発明はこれに限定されるものはない。
単に、１枚の板部が取付本体３０から出没するものであってもよいし、３以上の板部が取付本体３０から出没するものであってもよい。
【００８０】
上記した実施形態では、一台の圧縮機８０によって複数台の遮蔽装置２の気体噴出部６に気体を供給していたが、本発明はこれに限定されるものではない。各遮蔽装置２に対してそれぞれ一台の圧縮機８０が設けられていてもよい。
【００８１】
上記した実施形態では、気体供給口６１は、気体噴出部６の上方側端部に設けられていたが、本発明はこれに限定されるものではない。気体供給口６１は、気体噴出部６の下方側端部に設けられていてもよい。
【００８２】
上記した実施形態では、第１遮蔽姿勢から第２遮蔽姿勢への姿勢変更に伴って、制御装置８４から気体供給口６１に気体が供給されていたが、本発明はこれに限定されるものではない。退避姿勢から第１遮蔽姿勢への姿勢変更に伴って制御装置８４から気体供給口６１に気体が供給されてもよい。
同様に、上記した実施形態では、第３遮蔽姿勢から退避姿勢への姿勢変更に伴って、制御装置８４から気体供給口６１への気体の供給が停止されていたが、本発明はこれに限定されるものではない。第２遮蔽姿勢から第３遮蔽姿勢への姿勢変更に伴って、制御装置８４から気体供給口６１への気体の供給が停止されていてもよいし、姿勢変更にかかわらず、常に制御装置８４から気体供給口６１に気体が供給されてもよい。
【００８３】
上記した実施形態では、姿勢変更に伴って、制御装置８４から気体供給口６１への気体の供給が制御されていたが、本発明はこれに限定されるものではない。例えば、遮蔽装置２の一部に遊技者が操作可能な操作部を設け、操作部の操作によって制御装置８４から気体供給口６１への気体の供給を制御してもよい。また、遊技機島１０１の外部に設けられたホールコンピュータやリモコン等の外部操作装置によって制御装置８４から気体供給口６１への気体の供給を制御してもよい。
【００８４】
上記した実施形態の応用例としては、第２遮蔽板部５５の端部を、遊技機島１０１を基準として、遊技機用椅子１０５の背もたれよりも外側に位置させてもよい。こうすることによってより煙の遮蔽効果を向上させることができる。
【符号の説明】
【００８５】
１  遊技機島ユニット
２  遮蔽装置
３  気体送出装置（気体送出手段）
５  遮蔽板部
６  気体噴出部
６０  気体噴出口（噴出口）
６２  気体流路
１００  遊技機
１０１  遊技機島
１０８  遊技空間
【図１】
2018023468.tif 000003
【図２】
2018023468.tif 000004
【図３】
2018023468.tif 000005
【図４】
2018023468.tif 000006
【図５】
2018023468.tif 000007
【図６】
2018023468.tif 000008
【図７】
2018023468.tif 000009
【図８】
2018023468.tif 000010
【図９】
2018023468.tif 000011
【図１０】
2018023468.tif 000012
【図１１】
2018023468.tif 000013
【図１２】
2018023468.tif 000014
【図１３】
2018023468.tif 000015
【図１４】
2018023468.tif 000016